(57)【要約】
【課題】  充分な防湿性、防臭性を保ち、また微粉末による汚れの発生もなくすことができる屋内用内装材を提供すること。
【解決手段】  母材と、母材の表面側に配設された竹炭ボードと、竹炭ボードの表面側に配設された表面材と、を備えた屋内用内装材である。屋内用内装材としての代表例は畳２であり、畳２に適用する場合、畳床４と畳表１６との間に竹炭ボード１２が介在され、このように畳表１６の内側に竹炭ボード１２を配設することによって、屋内の空気が竹炭ボード１２に接触し易くなり、これによって、充分な防湿性、防臭性、防ダニ性が得られる。また、竹炭がボード状に形成されるので、充分な強度を得ることができ、割れ、破損などによって粉末化するのを防止することができ、微粉末による汚れの発生も防止することができる。
【選択図】  図１
0003101266.tif 000002
【実用新案登録請求の範囲】
【請求項１】
母材と、母材の表面側に配設された竹炭ボードと、前記竹炭ボードの表面側に配設された表面材と、を備えたことを特徴とする屋内用内装材。
【請求項２】
前記母材が畳床であり、前記表面材が畳表であり、前記畳床と前記表面材との間に前記竹炭ボードが介在されている請求項１に記載の屋内用内装材。
【請求項３】
前記畳床が、稲ワラから形成されたワラ床、稲ワラの間に発泡樹脂ボードを介在させたワラ・樹脂ボードサンド床、細かい木材を圧縮したインシュレーションボードを積層したボード床又はインシュレーションボードの間に発泡樹脂ボードを介在させたボード・樹脂ボードサンド床のいずれかである請求項２に記載の屋内用内装材。
【請求項４】
前記母材が床母材であり、前記表面材が床仕上げ材であり、前記床母材と前記床仕上げ材との間に前記竹炭ボードが介在されている請求項１に記載の屋内用内装材。
【考案の詳細な説明】
【技術分野】
【０００１】
本考案は、屋内の内装に用いる屋内用内装材に関する。
【背景技術】
【０００２】
屋内用内装材としての畳は、畳床とこの畳床の表面に配設された畳表から構成され、畳床が稲ワラから形成され、畳表がイグサから形成されている。稲ワラ及びイグサは天然素材であり、吸湿性が良く、住居環境に優しいものであり、従来から広く使用されている。
【０００３】
近年、稲作作業の機械化により、稲ワラの入手が難しくなり、また稲ワラを使用すると重量も重くなることから、インシュレーションボードやインシュレーションボードに発泡樹脂ボードをサンドイッチしたものから畳床を形成したものが広く実用に供されている。畳床をインシュレーションボードなどから形成すると、畳自体の重量が軽くなって取扱いの利便性が良くなり、またその製造コストも安価となり、実用性の面では稲ワラを使用したものに比して改善される。
【０００４】
しかし、インシュレーションボードなどを使用したものでは、吸湿性が充分でなく、日本の高温多湿の環境に充分満足に適合したものとは言えなかった。
このようなことから、畳床と畳表との間に木炭シートを介在させたものが提案されている（例えば、特許文献１参照）。木炭シートを配設した畳では、木炭の防湿性により畳に湿度をほぼ一定に保つことができ、またその防臭性により室内の臭いを除くことができる。
【０００５】
【特許文献１】特開１０−１２１７０１号公報
【考案の開示】
【考案が解決しようとする課題】
【０００６】
しかしながら、木炭シートを配設した公知の畳では、木炭粉末を紙（又は不織布など）の間に挟み込んでおり、それ故に、人が歩いたりして荷重がかかると、木炭粉末が更に小さく微粉末状に粉砕されたり、また微粉末状の木炭が紙（又は不織布など）通して表面に出てきて畳表を汚したりする問題がある。
【０００７】
このような問題については、木炭シートを畳床の内部にサンドイッチするようにすればある程度解消することができるが、このようにサンドイッチすると、木炭が畳床の内部に収納されてしまい、居室空間の空気との接触が少なくなり、木炭シートによる吸湿性、防臭性の効果が低下する問題が新たに発生する。
【０００８】
本考案の目的は、充分な防湿性、防臭性を保ち、また微粉末による汚れの発生もなくすことができる屋内用内装材を提供することである。
【課題を解決するための手段】
【０００９】
本考案の請求項１に記載の屋内用内装材は、母材と、母材の表面側に配設された竹炭ボードと、前記竹炭ボードの表面側に配設された表面材と、を備えたことを特徴とする。
【００１０】
また、本考案の請求項２に記載の屋内用内装材では、前記母材が畳床であり、前記表面材が畳表であり、前記畳床と前記表面材との間に前記竹炭ボードが介在されていることを特徴とする。
【００１１】
また、本考案の請求項３に記載の屋内用内装材では、前記畳床が、稲ワラから形成されたワラ床、稲ワラの間に発泡樹脂ボードを介在させたワラ・樹脂ボードサンド床、細かい木材を圧縮したインシュレーションボードを積層したボード床又はインシュレーションボードの間に発泡樹脂ボードを介在させたボード・樹脂ボードサンド床のいずれかであることを特徴とする。
【００１２】
また、本考案の請求項４に記載の屋内用内装材では、前記母材が床母材であり、前記表面材が床仕上げ材であり、前記床母材と前記床仕上げ材との間に前記竹炭ボードが介在されていることを特徴とする。
【考案の効果】
【００１３】
本考案の請求項１に記載の屋内用内装材によれば、母材と表面材との間に竹炭ボードを介在させるので、この竹炭ボードは屋内用内装材の表面近くに配設され、屋内の空気と接触し易くなり、またボード状として形成するので竹炭の含有量を多くすることが可能となり、これらによって、竹炭の特性である防湿性、防臭性、防ダニ性が充分に得られ、内装材を設置した屋内の湿度をほぼ均一に保つことができ、また室内の臭いを取り除くことができ、更にダニの発生も抑えることができる。また、竹炭はボード状に形成した竹炭ボードとして配設され、竹炭ボード自体が充分な強度を有するので、人の移動などによって大きな負荷が作用して割れたりして粒子状になることはなく、微粉末による汚れなどが生じることがない。このような竹炭ボードは、その厚さが例えば８〜１５ｍｍに形成される。尚、このような屋内用内装材は畳、床材、天井材などである。
【００１４】
また、本考案の請求項２に記載の屋内用内装材によれば、竹炭ボードが畳に用いられ、畳床と畳表との間に竹炭ボードが介在され、このように畳表の内側に竹炭ボードを配設することによって、所望の防湿性、防臭性、防ダニ性が得られる。尚、竹炭ボードと畳表との間に不織布シートを介在するようにしてもよい。
【００１５】
また、本考案の請求項３に記載の屋内用内装材によれば、竹炭ボードを畳に適用する場合、畳床として一般的に使用されている形態のもの、即ちワラ床、ワラ・樹脂ボードサンド床、ボード床及びボード・樹脂ボード床に用いることができる。
【００１６】
また、本考案の請求項４に記載の屋内用内装材によれば、竹炭ボードが床材に用いられ、床母材と床仕上げ材との間に竹炭ボードが介在され、このように床仕上げ材の内側に竹炭ボードを配設することによって、所望の防湿性、防臭性及び防ダニ性が得られる。
【考案を実施するための最良の形態】
【００１７】
以下、添付図面を参照して、本考案に従う屋内用内装材の実施形態について説明する。
〔第１の実施形態〕
まず、図１を参照して、屋内用内装材としての畳に適用した例について説明する。図１は、屋内用内装材としての畳の一実施形態を切り欠いて断面で示す断面図である。
【００１８】
図１において、図示の畳２は母材としての畳床４を備え、この畳床４がボード・樹脂ボードサンド床から構成されている。即ち、畳床４は、細かい木材を圧縮して形成された下インシュレーションボード６及び上インシュレーションボード８と、これらインシュレーションボード６，８との間に介在された発泡樹脂ボード１０から構成されている。
【００１９】
この畳床４の表面側には竹炭ボード１２が配設されている。竹炭ボードは竹炭を用いて強固なボード状に形成され、例えば竹炭の小片、粉末をニカワ、竹のりなどの結合剤と混合し圧縮して形成される。畳に用いる場合、畳の厚さ、竹炭ボード１２自体の強度などを考慮して、竹炭ボード１２の厚さは８〜１５ｍｍ程度に、例えば１０ｍｍ程度の厚さに形成される。
【００２０】
この実施形態では、竹炭ボード１２の表面側に不織布シート１４を介して、表面材としての畳表１６が設けられている。不織布１４は畳床４を保護するために設けられ、畳床４を保護できるときには不織布シート１４を省略することができる。畳表１６はイグサから形成され、畳縁（図示せず）を畳床４に縫い付けることによって、不織布シート１４及び畳表１６が畳床４に取り付けられる。この畳床４の裏面側には裏シート１８が設けられる。この裏シートは、例えば合成樹脂製の薄いシートから形成される。
【００２１】
上述した畳２は和室などに敷いて用いられ、この畳２を用いることによって、次の効果が達成される。即ち、畳床４と畳表１６との間（換言すると、畳表１６の内側）に竹炭ボード１２が設けられるので、この竹炭ボード１２が畳２の表面近くに配設され、屋内の空気と接触し易くなり、これによって、充分な防湿性、防臭性、防ダニ性が得られる。また、竹炭がボード状として形成するので竹炭の含有量を多くすることが可能となり、これによって、長期にわたって防湿性、防臭性、防ダニ性を維持することができる。更に、竹炭ボード１２として形成することによって、充分な強度が得られ、大きな負荷が作用しても割れたりすることがなく、竹炭の微粉末による汚れなどが生じることがなく、これのことから、使用環境に優しい畳を提供することができる。
【００２２】
第１の実施形態では、畳床４がボード・樹脂ボードサンド床から形成されたものに適用して説明したが、このような形態に限定されず、畳床４が稲ワラから形成されたワラ床、稲ワラの間に発泡樹脂ボードを介在させたワラ・樹脂ボードサンド床、或いはインシュレーションボードを積層して形成されたボード床にも同様に適用することができる。
【００２３】
〔第２の実施形態〕
次に、図２を参照して、屋内用内装材としての床材に適用した例について説明する。図２は、屋内用内装材としての床材の一実施形態を切り欠いて断面で示す断面図である。
【００２４】
図２において、図示の床材２２は母材としての床母材２４を備え、この床母材２４が例えば合板などから形成される。床母材２４の表面側には竹炭ボード２６が配設され、この竹炭ボード２６は第１の実施形態における竹炭ボード１２と実質上同一のものでよい。また、竹炭ボード６の表面側に表面材としての床仕上げ材２８が設けられ、床仕上げ材２８が例えば薄い木材、合板などから形成される。
【００２５】
このような床材２２は洋室などの床に用いられ、このような床材２２を用いることによって、上述したと同様の効果が達成される。即ち、床母材２４と床仕上げ材２８との間（換言すると、床仕上げ材２８の内側）に竹炭ボード２６が設けられるので、この竹炭ボード２６が床材２２の表面近くに配設され、屋内の空気が竹炭ボード２６に接触し易くなり、これによって、充分な防湿性、防臭性、防ダニ性が得られる。また、竹炭がボード状として形成するので、長期にわたって防湿性、防臭性、防ダニ性を維持することができ、また大きな負荷が作用して割れたりすることがなく、竹炭の微粉末による汚れなどが生じることがなく、使用環境に優しい床材を提供することができる。
【００２６】
以上、屋内用内装材としての畳、床材に適用して説明したが、これらに限定されず、その他の屋内用内装材、例えば天井材などにも適用することができる。
【産業上の利用可能性】
【００２７】
竹炭ボードを備えた屋内用内装材は、畳、床材などに適用することができる。この屋内用内装材では、竹炭ボードが表面材（例えば、畳表、床仕上げ材）の内側に配設されるので、屋内の空気と接触し易くなり、充分な防湿性、防臭性、防ダニ性が得られる。また、竹炭ボードとしてボード状に形成されるので、竹炭を多く含み、またその強度も大きく、長期にわたって防湿性、防臭性、防ダニ性を保つことができるとともに、竹炭の微粉末による汚れが生じることがなく、住居環境に優しい屋内用内装材として提供することができる。
【図面の簡単な説明】
【００２８】
【図１】屋内用内装材としての畳の一実施形態を切り欠いて示す断面図である。
【図２】屋内用内装材としての床材の一実施形態を切り欠いて示す断面図である。
【符号の説明】
【００２９】
２  畳
４  畳床
６，８  インシュレーションボード
１０  発泡樹脂ボード
１２，２６  竹炭ボード
１６  畳表
２２  床材
２４  床母材
２８  床仕上げ材
【図１】
0003101266.tif 000003
【図２】
0003101266.tif 000004